(57)【要約】【課題】板バネ状の弾性板（３）の中心部を上下方向に押し引きすることで、簡単確実な着脱を可能とする。【解決手段】平らな弾性板（３）の中心部を上下方向に押し引きし撓ませることにより左右方向直線での長さに長短を生じさせ、弾性板（３）の両端付近を支えている凸部（２）の側面の両開口部から弾性板（３）の両端を内外側に引っ込めたり出っ張らせたりして、凹部（１）の開口部上部の狭まっている箇所を通過させたり止めたりする構成で着脱する。【選択図】図１
2006223627.tif 000002
【特許請求の範囲】
【請求項１】
弾性体よりなる平らな板バネ（３）の中心部を上下方向に押し引きし撓ませることにより左右方向直線での長さに長短を生じさせ、板バネ（３）の両端付近を支えている凸部（２）側面の開口部から板バネ（３）の両端を内外側に入ったり出たりさせて、凹部（１）の開口部上部の狭まっている箇所を通過させたり止めたりして着脱することを特徴とする留め具。
【発明の詳細な説明】
【技術分野】
【０００１】
本発明は、着脱が簡単確実な留め具に関するものである。
【背景技術】
【０００２】
留め具は衣料や小物それに靴や鞄類、また産業用にも各種のものが使用されている。しかし、留めたり外したりするのに両手を使わなければならなかったり、片手で出来ても留める力が弱かったり、また必要以上と思われる力で押したり引いたりせねばならないことがある。
【発明の開示】
【発明が解決しようとする課題】
【０００３】
解決しようとする問題点は、留め具の着脱を片手だけで容易に出来ない、または片手だけで着脱が出来ても留める力が弱かったりする点である。
【課題を解決するための手段】
【０００４】
本発明は、留め具の着脱を片手でも簡単確実にすることを可能とするため、平らな板バネ（３）の中央部を上下方向に押し引きし撓ませることにより左右方向直線での長さに長短を生じさせ、板バネ（３）の両端部分を両端付近を支えている凸部（２）の側面開口部から内外側に入ったり出たりさせる構成で着脱さすことを特徴とする。
【発明の効果】
【０００５】
本発明の留め具は、凸部（２）内で上下にスライド出来るようになっている中子（４）を凹部（１）内部方向に押せば、中子（４）に取り付けられている板バネ（３）が下方に撓み凹部（１）上部の狭まっている開口部を通り抜けられ板バネ（３）は凹部（１）の窪み内で元の平らな状態に戻るので留まり、留まっている状態からタグ（６）を介し中子（４）を引き上げれば板バネ（３）が上方に撓み外れるので、片手でも押し引きにより着脱が簡単確実にできる利点がある。
【発明を実施するための最良の形態】
【０００６】
着脱を簡単確実に行えるという目的を、高さをあまり必要としない構成部品で実現した。
【実施例１】
【０００７】
図１は、本発明の１実施例として、留め具の留める前の状態を断面図で、各構成部品を立体図で示しており、凹部（１）においてその上部開口部の内部側面周囲に窪みを設け、凸部（２）においてその中心縦方向に貫通する穴をあけ中子（４）が上下にスライドできるように、かつ横方向にも開口部を設け板バネ（３）が左右に動けるようにし、中子（４）においても横方向に山形の面が上下方向で互いに向き合うような開口部を設け、かつその中心縦方向にネジ（５）を通す穴を貫通させる。  組付けは凸部（２）と中子（４）の開口部を合わせて板バネ（３）を通してから、中子（４）と板バネ（３）の中心穴を合わせねじ（５）を通した後、ネジ（５）の下部を広げて中子（４）から抜けないようにして、且つネジ（５）の頭部に中子（４）を引っ張り上げやすいようにタグ（６）を取り付ける。  
【０００８】
図２は、留め具の留まる直前の状態を示した断面図である。タグ（６）をつまんで凸部（２）先端を凹部（１）開口部に近づけ中子（４）を凹部（１）内方向に押すと平らな板バネ（３）の中程が下方に押し曲げられ左右方向直線での長さが短くなり、板バネ（３）の両端は凸部（２）側面の開口部の内側に引っ込み凹部（１）上部の狭まった開口部を通り越し凹部（１）内の側面窪み内に達する。
【０００９】
図３は、留め具が留まっている状態を示した断面図である。 板バネ（３）の両端が凹部（１）の側面窪み内で元の伸びた平らな形状となって長さが凹部（１）上部の開口部直径より長くなり留まった状態となる。
【００１０】
図４は、留め具の外れる直前の状態を示した断面図である。タグ（６）を介して中子（４）を上方に引っ張れば板バネ（３）の中程が上方に撓み左右方向直線での長さが短くなり、板バネ（３）の両端は凹部（１）側面の窪みから凹部（１）上部の狭まった開口部を通り抜けられ外れる。  板バネ（３）の両端付近はテーパをつけ凹部（１）上部の開口部と凸部（２）側面の開口部に挟まれても、板バネ（３）の中程が引き上げられ内側に引っ張られると抜けやすくしている。
【００１１】
図５は、留め具に外そうとする負荷がかかった状態を示した断面図である。タグ（６）を介し中子（４）を上方に引っ張り外そうとしない限り、凸部（２）を取り付けている被取付部材Ａ（７）を凹部（１）を取り付けている被取付部材Ｂ（８）から引き外そうとする力が加わっても、凹部（１）上部の狭まっている開口部と凸部（２）側面の開口部とで板バネ（３）の両端は各々挟まれ、その狭い隙間を通り抜けられないので外れない。このように、中子（４）を押せば留まり、逆にタグ（６）を介し中子（４）を引き上げれば外れるように着脱を容易確実にする効果がある。
【００１２】
図６の実施例は、十字形の板バネＡ（３Ａ）を中子Ａ（４Ａ）と当て部（４ｂ）との間に入れ、これらの中心線上に揃えてネジＡ（５Ａ）を通し締め組み上げる、それを凸下部（２Ｂ）の上に開口部位置と十字形の板バネＡ（３Ａ）の各先端部分を合うように置き凸上部（２Ａ）を上からかぶせ圧入することによって、４先端部の４箇所で着脱することになるので、長方形の板バネ（３）での両先端部２箇所に比べ係合状態がより安定する。この他、３先端や５先端等の複数の先端を有する板バネ（３）を使用する構成も可能である。
【産業上の利用可能性】
【００１３】
押し引きにより片手でも簡単確実に着脱ができ、手先の不自由な障害者や片手で作業せねばならない際にも使え、また強い留める力を必要とする用途にも適用できる。
【図面の簡単な説明】
【００１４】
【図１】留め具の留める前を示した断面図と各構成部品を示した説明図である。（実施例１）
【図２】留め具の留まる直前の状態を示した断面図である。
【図３】留め具が留まっている状態を示した断面図である。
【図４】留め具の外れる直前の状態を示した断面図である。
【図５】留め具に外そうとする負荷がかかった状態を示した断面図である。
【図６】十字形の板バネＡ（３Ａ）を用いた留め具の留める前の状態を示した断面図と各構成部品を示した説明図である。（実施例２）
【符号の説明】
【００１５】
１    凹部
２    凸部
２Ａ  凸上部
２Ｂ  凸下部
３    板バネ
３Ａ  板バネＡ
４    中子
４Ａ  中子Ａ
４ｂ  当て部
５    ネジ
５Ａ  ネジＡ
６    タグ
７    被取付部材Ａ
８    被取付部材Ｂ
【図１】
2006223627.tif 000003
【図２】
2006223627.tif 000004
【図３】
2006223627.tif 000005
【図４】
2006223627.tif 000006
【図５】
2006223627.tif 000007
【図６】
2006223627.tif 000008
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
板バネ状の弾性板（３）の中心部を上下方向に押し引きし撓ませることにより左右方向直線での長さに長短を生じさせ、弾性板（３）の両端付近を支えている凸部（２）側面の両開口部から弾性板（３）の両端を内外側に入ったり出たりさせて、凹部（１）の開口部上部の狭まっている箇所を通過させたり止めたりして着脱することを特徴とする留め具。
【手続補正２】
【補正対象書類名】明細書
【補正対象項目名】全文
【補正方法】変更
【補正の内容】
【発明の詳細な説明】
【技術分野】
【０００１】
本発明は、着脱が簡単確実な留め具に関するものである。
【背景技術】
【０００２】
留め具は衣料や小物それに靴や鞄類、また産業用にも各種のものが使用されている。しかし、留めたり外したりするのに両手を使わなければならなかったり、片手で出来ても留める力が弱かったり、また必要以上と思われる力で押したり引いたりせねばならないことがある。
【０００３】
後述の特許文献に開示されているクリップは特定用途のものであるが、外すときはドライバー等のマイナス部分を取外溝（１９）に差し込み梃子の原理で頭部（２１）を介して軸体（２０）を引き上げてグロメット（１０）のフランジ部（１２）から引き離さねばならず、着脱を頻繁にせねばならぬ用途では面倒である。
【特許文献１】特開２００４−３１６８５６号公報（段落「００４１」〜「００４２」、図８）
【発明の開示】
【発明が解決しようとする課題】
【０００４】
解決しようとする問題点は、留め具の着脱を片手だけで容易に出来ない、または片手だけで着脱が出来ても留める力が弱かったする点である。
【課題を解決するための手段】
【０００５】
本発明は、留め具の着脱を片手でも簡単確実にすることを可能とするため、撓みやすく中央部分の厚さを薄くしている弾性板（３）の中央部を上下方向に押し引きし撓ませることにより左右方向直線での長さに長短を生じさせ、弾性板（３）の両端部分を近くで支えている凸部（２）の側面両開口部から内外側に入ったり出たりさせる構成で着脱さすことを特徴とする。
【発明の効果】
【０００６】
本発明の留め具は、凸部（２）内で上下にスライド出来るようになっている中子（４）を凹部（１）内部方向に押せば、中子（４）に取り付けられている弾性板（３）が下方に撓み凹部（１）上部の狭まっている開口部を通り抜けられ弾性板（３）は凹部（１）の窪み内で元の平らな状態に戻るので留まり、留まっている状態からタグ（６）を介し中子（４）を引き上げれば弾性板（３）が上方に撓み外れるので、片手でも押し引きにより着脱が簡単確実にできる利点がある。
【発明を実施するための最良の形態】
【０００７】
着脱を簡単確実に行えるという目的を、高さをあまり必要としない構成部品で実現した。
【実施例１】
【０００８】
図１は、本発明の１実施例として、留め具の留める前の状態を断面図で、各構成部品を立体図で示しており、凹部（１）においてその上部開口部の内部側面周囲に窪みを設け、凸部（２）においてその中心縦方向に貫通する穴をあけ中子（４）が上下にスライドできるように、かつ横方向にも開口部を設け弾性板（３）が左右に動けるようにし、中子（４）においても横方向に山形の面が上下方向で互いに向き合うような開口部を設け、かつその中心縦方向にリベット形状の軸体（５）を通す穴を貫通させる。
組付けは凸部（２）と中子（４）の側面開口部を合わせて弾性板（３）を通してから、中子（４）と弾性板（３）の中心穴を合わせ軸体（５）を通した後、軸体（５）の下部を打ち広げて中子（４）から抜けないようにして、且つ軸体（５）の頭部に中子（４）を引っ張り上げやすいように弾性体よりなるタグ（６）を取り付ける。
【０００９】
図２は、留め具の留まる直前の状態を示した断面図である。タグ（６）をつまんで凸部（２）先端を凹部（１）開口部に近づけ中子（４）を凹部（１）内方向に押すと平らな弾性板（３）の中程が下方に押し曲げられ左右方向直線での長さが短くなり、弾性板（３）の両端は凸部（２）側面の開口部の内側に引っ込み凹部（１）上部の狭まった開口部を通り越し凹部（１）内の側面窪み内に達する。
【００１０】
図３は、留め具が留まっている状態を示した断面図である。 弾性板（３）の両端が凹部（１）の側面窪み内で元の伸びた平らな形状となって長さが凹部（１）上部の開口部直径より長くなり留まった状態となる。
【００１１】
図４は、留め具の外れる直前の状態を示した断面図である。タグ（６）を介して中子（４）を上方に引っ張れば弾性板（３）の中程が上方に撓み左右方向直線での長さが短くなり、弾性板（３）の両端は凹部（１）側面の窪みから凹部（１）上部の狭まった開口部を通り抜けられ外れる。  弾性板（３）の両端付近はテーパをつけ、凹部（１）上部の開口部と凸部（２）側面の開口部とで挟まれても、弾性板（３）の中程が引き上げられ内側に引っ張られると抜けやすくしている。
【００１２】
図５は、留め具に外そうとする負荷がかかった状態を示した断面図である。タグ（６）を介し中子（４）を上方に引っ張り外そうとしない限り、凸部（２）を取り付けている被取付部材Ａ（７）を凹部（１）を取り付けている被取付部材Ｂ（８）から引き外そうとする力が加わっても、凹部（１）上部の狭まっている開口部と凸部（２）側面の開口部とで弾性板（３）の両端は各々挟まれ、その狭い隙間を通り抜けられないので外れない。このように、中子（４）を押せば留まり、逆にタグ（６）を介し中子（４）を引き上げれば外れるように着脱を容易確実にする効果がある。
【００１３】
図６の実施例は、十字形の弾性板Ａ（３Ａ）を中子Ａ（４Ａ）と当て部（４ｂ）との間に入れ、これらの中心線上に揃えて軸体（５）を通してから軸体（５）の下端の溝部を外側に打ち広げて当て部（４ｂ）が抜け落ちないようする、それを凸下部（２Ｂ）の上に開口部位置と十字形の弾性板Ａ（３Ａ）の各先端部分を合うように置き凸上部（２Ａ）を上からかぶせ圧入する、またその接合部の強度が足りなければスポット溶接により補強し一体化することによって、４先端部の４箇所で着脱することになるので、長方形の弾性板（３）での両先端部２箇所に比べ係合状態がより安定する。この他、３先端や５先端等の複数の先端を有するものを使用する構成も可能である。
【００１４】
図７の実施例は、被取付部材Ｂ（８）が硬質の丈夫な材料でできていて、その厚さが凸部（２）の開口部から弾性板（３）両端の出入りを妨げない範囲以内のものなら、凹部（１）開口部と同じ直径の穴（９）を被取付部材Ｂ（８）にあけ、凹部（１）を被取付部材Ｂ（８）に取り付けずに、凸部（２）を直接その穴（９）に挿入して留めることもできる。
それに軸体Ａ（５Ａ）にはタグ（６）を取り付けなくても、軸体Ａ（５Ａ）の頭部を直接指または工具でつまみ引き上げられるように頭部の下方をへこませている。
【産業上の利用可能性】
【００１５】
押し引きにより片手でも簡単確実に着脱ができ、手先の不自由な障害者や片手で作業せねばならない際にも使え、また強い留める力を必要とする用途にも適用できる。
【図面の簡単な説明】
【００１６】
【図１】留め具の留める前の状態を示した断面図と各構成部品を示した説明図である。（実施例１）
【図２】留め具の留まる直前の状態を示した断面図である。
【図３】留め具が留まっている状態を示した断面図である。
【図４】留め具の外れる直前の状態を示した断面図である。
【図５】留め具に外そうとする負荷がかかった状態を示した断面図である。
【図６】十字形の弾性板Ａ（３Ａ）を用いた留め具の留める前の状態を示した断面図と各構成部品を示した説明図である。（実施例２）
【図７】硬質の丈夫な材料でできている被取付部材Ｂ（８）に穴（９）をあけ、直接その穴（９）に留めた状態を示した断面図である。（実施例３）
【符号の説明】
【００１７】
１    凹部
２    凸部
２Ａ  凸上部
２Ｂ  凸下部
３    弾性板
３Ａ  弾性板Ａ
４    中子
４Ａ  中子Ａ
４ｂ  当て部
５    軸体
５Ａ  軸体Ａ
６    タグ
７    被取付部材Ａ
８    被取付部材Ｂ
９    穴
【手続補正３】
【補正対象書類名】図面
【補正対象項目名】全図
【補正方法】変更
【補正の内容】
【図１】
2006223627.tif 000009
【図２】
2006223627.tif 000010
【図３】
2006223627.tif 000011
【図４】
2006223627.tif 000012
【図５】
2006223627.tif 000013
【図６】
2006223627.tif 000014
【図７】
2006223627.tif 000015